(57)【要約】【課題】従来の情報提供システム、情報出力装置並びに通信装置は、インターネットの閲覧者が希望する、あるいはインターネットの運営者が意図しているリンク先サイトに対する閲覧の誘導が不十分となるという問題があった。これは、優先付けのためのデータを当該インターネットのホームページのサイトの閲覧者の希望または運営者の意図と無関係な部分から抽出、蓄積し利用しているためである。【解決手段】インターネットのホームページのサイトの閲覧者の関心事に合致するコンテンツ並びにインターネットのホームページのサイトの運営者が優先順位を与えたリンク先を優先的に表示するように構成されたサイトを閲覧させることを特徴とする情報提供システム、情報出力装置並びに通信装置を提供する。【選択図】なし【特許請求の範囲】
【請求項１】
インターネットのサイト閲覧者の関心事に合致するコンテンツ並びにインターネットのサイト運営者が優先順位を与えたリンク先を優先的に表示するように構成されたサイトを閲覧させることを特徴とする情報提供システム。
【請求項２】
請求項１のコンテンツが静止画である情報提供システム。
【請求項３】
請求項２の静止画が漫画である情報提供システム。
【請求項４】
請求項１から３のリンク先が広告先である情報提供システム。
【請求項５】
請求項１から５までの特徴を有してなるサイトを表示する情報出力装置。
【請求項６】
請求項１から５までの特徴を有してなるサイトを伝達する通信装置。
【発明の詳細な説明】
【技術分野】
【０００１】  本発明は、通信による情報提供、特にインターネットのホームページにおける効率的な提供システム、出力装置並びに通信装置に関する。
【背景技術】
【０００２】  従来のインターネットのホームページ、特に複数のコンテンツへのリンク、広告を表示させるサイトにおいては、リンク先の閲覧回数などにより優先順位付けを行い、表示頻度などを変更するシステムが採用されている。【０００３】  しかし、これらは優先付けのためのデータを当該インターネットのホームページのサイトの運営者（以下運営者）の意図と無関係な部分から抽出、蓄積し利用している。（例えば、特許文献１、２参照。）
【特許文献１】特許公開２００３−３４８５５９  広報
【特許文献２】特許公開２００１−３２５２５６  広報
【０００４】  また、インターネットのホームページ閲覧者（以下閲覧者）は必ずしも他者が閲覧したサイトを閲覧したいと希望するものではなく、当該閲覧者の趣味、興味などに基づいて閲覧すべきサイトを決定し、そのサイトのリンク先にさらに希望する情報があることを期待して閲覧を行っている。
【発明の開示】
【発明が解決しようとする課題】
【０００５】  以上に述べた従来の技術においては、閲覧者が希望する、あるいは運営者が意図しているリンク先サイトに対する閲覧の誘導が不十分となるという問題があった。【０００６】  本発明は、このような従来のサイトの構成システム、情報出力装置並びに通信装置が有していた問題を解決しようとするものであり、効率的に希望もしくは意図するリンク先サイトに誘導できる情報提供システム、情報出力装置並びに通信装置の提供を目的としたものである。
【課題を解決するための手段】
【０００７】  本発明は、上記目的を達成するために、閲覧者の関心事に合致するコンテンツ並びに運営者が優先順位を与えたリンク先を優先的に表示するように構成されたサイトを閲覧させることを特徴とする情報提供システム、情報出力装置並びに通信装置である。【０００８】  情報提供システム並びに出力装置は、現在一般に使用されている全てのものを用いることができる。例としてパーソナルコンピューター、オフィスコンピューター、テレビ、ビデオ並びにそれらの周辺機器などが挙げられるが、これに限定されるものではない。好ましくはパーソナルコンピューターが挙げられる。パーソナルコンピューターは現在、世界で多くの人々が利用しており、多くの閲覧者並びに運営者が本発明を利用できる。パーソナルコンピューターの閲覧ソフトは、現在一般に使用されている全てのものを用いることができる。例としてネットスケープ、インターネットエクスプローラー、リアルプレーヤーなどが挙げられるが、これに限定されるものではない。【０００９】  通信装置は、現在一般に使用されている全てのものを用いることができる。例としてインターネット回線、電話回線、無線などが挙げられるが、これに限定されるものではない。好ましくはインターネット回線が挙げられる。インターネットは現在、世界中に安価に情報を伝達することが可能な通信である。【００１０】  表示されるコンテンツは固定されていてもよく、可変でもよい。好ましくは可変である。表示されるコンテンツの一部または全部は、運営者の意図がよく反映されるものでなければならない。意図の反映法は、関数などの数学的手法でもよく、非数学的に反映させてもよい。コンテンツの一部については従来技術のごとく、運営者の意図が反映させない方式による表示法を用いてもよい。【００１１】  コンテンツとしては、一般にインターネット上に公開されている情報の全てを用いることが出来る。不動産情報、生活情報、旅行情報、職業情報、証券情報、商取引情報、貴金属取引情報などが挙げられるが、これに限定されるものではない。【００１２】  情報の様態としては一般にインターネット上に公開されている全てのものを用いることができる。例として文字、動画、音楽、画像などが挙げられるが、これに限定されるものではない。好ましくは静止画、さらに好ましくは漫画があげられる。静止画、特に漫画においては連続して複数ページを閲覧しなければならないというコンテンツとしての特徴を有しており、そのページ数だけ閲覧回数が発生し、訪問者がリンク先サイトを閲覧する可能性が高まるという特徴を有する。【００１３】  静止画、特に漫画の内容については一般にインターネット上に公開されている全てのものを用いることができる。例として歴史分野、政治分野、法律分野、金融分野、マスコミ分野、医療分野、産業分野などが挙げられるが、これに限定されるものではない。好ましくはリンク先の内容と関連が深いものである。サイトの閲覧者は閲覧の動機として当該静止画から一定の情報を得ることを目的として訪問するが、関連情報に対する興味、関心は当然に深いためである。また、漫画は写真等の他の静止画情報と異なり、一般に他のものを転写せず無の状態から創作されることから、より運���者の意図を反映しやすく、また広告との関連性を強く持たせることができる。【００１４】  リンク先サイトとしては、インターネット上に公開されている全てのサイトをあげることができる。広告先としてこれらを登録することが好ましい。
【発明の効果】
【００１５】  上述したように、本発明は閲覧者が希望する情報を獲得することを助けるとともに、運営者が意図しているリンク先サイト、特に広告先サイトに対する閲覧がより振興される情報提供システム、情報出力装置並びに通信装置を提供できる。【００１５】  また、サイト内に静止画情報、特に漫画とリンク先サイト、特に広告先サイトを同時に表示することにより、さらに上記効果を発揮するものである。
【発明の実施するための最良の形態】
【００１６】  以下、本発明の実施の形態を説明する。コンテンツとして、運営者が想定または希望する閲覧者の関心の高い内容でありかつ広告先であるリンク先サイトと密接な関連性がある内容からなる漫画及び当該広告先サイトへのリンク先を含むインターネットのサイトを構築し、これをインターネット回線経由で配信し、閲覧に供する。